(57)【要約】【課題】本発明は、極めて商品価値の高い画期的な振動発電装置及び振動発電システムを提供することを目的とする。【解決手段】車両20が通行する道路21に設ける振動発電装置10であって、この振動発電装置10は、上面部１’が路面に露出するように前記道路21に埋設され、天板部１Ａ，側板部１Ｂ及び底板部１Ｃから成る箱状基体１で構成され、この箱状基体１の前記天板部１Ａの下面部１”には、振動により発電する圧電素子２が設けられ、また、前記天板部１Ａの上面部１’には凸部３が設けられたものである。【選択図】図１
2014166049.tif 000002
【特許請求の範囲】
【請求項１】
車両が通行する道路に設ける振動発電装置であって、この振動発電装置は、上面部が路面に露出するように前記道路に埋設され、天板部，側板部及び底板部から成る箱状基体で構成され、この箱状基体の前記天板部の下面部には、振動により発電する圧電素子が設けられ、また、前記天板部の上面部には凸部が設けられていることを特徴とする振動発電装置。
【請求項２】
請求項１記載の振動発電装置において、前記凸部は前記道路の巾方向に所定長さを有する凸条であることを特徴とする振動発電装置。
【請求項３】
請求項２記載の振動発電装置において、前記凸部は複数並設されていることを特徴とする振動発電装置。
【請求項４】
請求項１〜３いずれか１項に記載の振動発電装置を備えた振動発電システムであって、前記箱状基体は、前記車両が通行する道路に揺動可能に埋設されていることを特徴とする振動発電システム。
【請求項５】
請求項４記載の振動発電システムにおいて、前記道路には前記箱状基体を配する凹部が設けられ、この凹部の内周面と前記箱状基体の外周面との間に隙間が設けられ、前記箱状基体は前記凹部内に揺動可能に設けられていることを特徴とする振動発電システム。
【請求項６】
請求項５記載の振動発電システムにおいて、前記凹部の底面部には排水凹部が設けられていることを特徴とする振動発電システム。
【発明の詳細な説明】
【技術分野】
【０００１】
本発明は、車両が通行する道路に設ける振動発電装置及び振動発電システムに関するものである。
【背景技術】
【０００２】
近年、石油や石炭などの化石燃料の代替えエネルギーが注目される中、例えば特開平８−１４１５４号のような振動エネルギーを利用して発電する振動発電装置（以下、従来例）が種々提案されている。
【０００３】
この従来例は、振動による圧力を圧電素子によって電力に変換する構造であり、例えば車両が通行する道路に設けて、車両が上部を通過した際に生じる振動エネルギーから電気を得るものである。
【０００４】
従って、従来例は、太陽光発電や風力発電などの気象状況に左右される発電装置に比して安定的な発電量が期待されている。
【先行技術文献】
【特許文献】
【０００５】
【特許文献１】特開平８−１４１５４号公報
【発明の概要】
【発明が解決しようとする課題】
【０００６】
しかしながら、実際には、従来例はいずれも発電能力が低く未だ実用段階には至っていないのが現状である。
【０００７】
本発明者は、前述した振動発電装置からより多くの発電量が得られるかについて更なる研究・開発を進め、その結果、極めて商品価値の高い画期的な振動発電装置及び振動発電システムを開発した。
【課題を解決するための手段】
【０００８】
添付図面を参照して本発明の要旨を説明する。
【０００９】
車両20が通行する道路21に設ける振動発電装置10であって、この振動発電装置10は、上面部１’が路面に露出するように前記道路21に埋設され、天板部１Ａ，側板部１Ｂ及び底板部１Ｃから成る箱状基体１で構成され、この箱状基体１の前記天板部１Ａの下面部１”には、振動により発電する圧電素子２が設けられ、また、前記天板部１Ａの上面部１’には凸部３が設けられていることを特徴とする振動発電装置に係るものである。
【００１０】
また、請求項１記載の振動発電装置において、前記凸部３は前記道路21の巾方向に所定長さを有する凸条であることを特徴とする振動発電装置に係るものである。
【００１１】
また、請求項２記載の振動発電装置において、前記凸部３は複数並設されていることを特徴とする振動発電装置に係るものである。
【００１２】
また、請求項１〜３いずれか１項に記載の振動発電装置を備えた振動発電システムであって、前記箱状基体１は、前記車両20が通行する道路21に揺動可能に埋設されていることを特徴とする振動発電システムに係るものである。
【００１３】
また、請求項４記載の振動発電システムにおいて、前記道路21には前記箱状基体１を配する凹部22が設けられ、この凹部22の内周面と前記箱状基体１の外周面との間に隙間が設けられ、前記箱状基体１は前記凹部22内に揺動可能に設けられていることを特徴とする振動発電システムに係るものである。
【００１４】
また、請求項５記載の振動発電システムにおいて、前記凹部22の底面部には排水凹部23が設けられていることを特徴とする振動発電システムに係るものである。
【発明の効果】
【００１５】
本発明は上述のように構成したから、前述した従来例に比し、圧電素子を良好に振動させてより多くの発電量が得られることになり、しかも、簡易構造であるから量産性に秀れ且つコスト安であるなど、極めて商品価値の高い画期的な振動発電装置及び振動発電システムとなる。
【図面の簡単な説明】
【００１６】
【図１】本実施例に係る振動発電システムの説明図である。
【図２】本実施例を示す斜視図である。
【図３】本実施例の使用状態説明図である。
【発明を実施するための形態】
【００１７】
好適と考える本発明の実施形態を、図面に基づいて本発明の作用を示して簡単に説明する。
【００１８】
車両20が箱状基体１の上面部１’を通過すると、箱状基体１の天板部１Ａが振動し、天板部１Ａの下面部１”に設けた圧電素子２が発電作用を発揮する。
【００１９】
この本発明に係る振動発電装置は、天板部１Ａの上面部１’に凸部３が設けられており、この凸部３を車両20のタイヤが通過した際には振動が誘発されて天板部１Ａが良好に振動する。
【００２０】
また、この天板部１Ａは内部に空間を有する箱状基体１の一部であり、よって、この箱状基体１の空間内で反響して生じる振動によっても天板部１Ａは良好に振動する。
【００２１】
以上から、本発明は、圧電素子２を設けた天板部１Ａを良好に振動させる構造であるから、前述した従来例に比し、圧電素子２を良好に振動させてより多くの発電量が得られることになる。
【実施例】
【００２２】
本発明の具体的な実施例について図面に基づいて説明する。
【００２３】
本実施例は、車両20が通行する道路21に設ける振動発電装置10であって、この振動発電装置10を複数備えた振動発電システムＳである。
【００２４】
具体的には、この振動発電システムＳは、図１に図示したように道路21に設けられる複数の振動発電装置10と、この各振動発電装置10（圧電素子２）で発電した電力を該振動発電装置10（圧電素子２）から延設される電線24を介して蓄電する蓄電部25とを備えている。
【００２５】
尚、この蓄電部25に蓄電された電気は、例えば道路21の脇に設置される照明や電光標識などの電源として利用される。また、道路21での設置については交通量の多い道路が望ましく、設置量を多くして発電所としての役割も果たすことができる。
【００２６】
振動発電装置10は、図１，２に図示したように上面部１’が路面に露出するように道路21に埋設され、天板部１Ａ，側板部１Ｂ及び底板部１Ｃから成る箱状基体１で構成されている。
【００２７】
箱状基体１は、適宜な金属製の部材（アルミ）で形成した細長箱状体であり、即ち、平面視長方形状の天板部１Ａと、前後左右の側板部１Ｂと、天板部１Ａに対向する底板部１Ｃとで構成され、この各板部１Ａ，１Ｂ，１Ｃ同士は図示省略の止着手段を介して分離自在に連結されている。
【００２８】
尚、箱状基体１は、金属製に限らず、例えば合成樹脂製やＦＲＰ製などでも良いが、圧電素子２に振動を伝える素材としては金属が有効と考えられる。
【００２９】
また、この箱状基体１は、天板部１Ａ，前後の側板部１Ｂ及び底板部１Ｃの板厚は約５ｃｍ、左右の側板部１Ｂの板厚は約１ｃｍ、長さは設置する道路21の巾（本実施例では片側車線の巾）に対応した長さに設定され、巾は約２０ｃｍ、高さは約２０ｃｍに設定されている。
【００３０】
尚、箱状基体１の各サイズは適宜設定し得るものである。
【００３１】
また、箱状基体１の天板部１Ａの下面部１”には、振動により発電する圧電素子２（ピエゾ素子）が多数設けられている。
【００３２】
この圧電素子２は公知構造、即ち、圧電材料（例えば水晶やセラミックなど）を一対の電極で挟んだ構造であり、振動による圧力を電力に変換するものである。
【００３３】
尚、この圧電素子２の構造としては、前述した構造の他にも本実施例の特性を発揮する構造であれば適宜採用し得るものである。
【００３４】
また、箱状基体１における天板部１Ａの上面部１’には凸部３が設けられている。
【００３５】
この凸部３は、箱状基体１の長さ方向（道路21の巾方向）に所定長を有する凸条であり、この凸部３は箱状基体１の巾方向（設置する道路21の長さ方向）に２本並設されている。
【００３６】
本実施例では、天板部１Ａの上面部１’に金属製（ステンレス製）の断面半円形の棒体（半径約２ｃｍ）を該棒体の平坦面を上面部１’に当接させた状態で配設して構成されている。この凸部３の高さは、車両20のタイヤ20ａが通過した際に天板部１Ａ及び箱状基体１全体を良好に振動させること、運転に支障を来さないこと及びタイヤ20ａの負担を低減することのバランスを考慮した高さである（現在の道路21でも、眠気防止のためとして、既にこのような形態が施工されている。）。尚、凸部３の形状や数や高さは適宜設計変更し得るものである。
【００３７】
以上の構成から成る振動発電装置10を実際に前述した振動発電システムＳとして構築する場合、図１に図示したように複数の振動発電装置10を道路21のセンターラインＬ位置を境界とした左右の車線（互いに進行方向が反対となる車線Ｒ１・Ｒ２）夫々に、該道路21の長さ方向（約１００ｍの範囲内）に間隔（約３０ｃｍ）を介して並設し、この各振動発電装置10から延設される電線24を蓄電部25に接続する。
【００３８】
この際、振動発電装置10に係る箱状基体１は、車両20が通行する道路21に揺動可能に埋設される。
【００３９】
具体的には、図２，３に図示したように道路21には、箱状基体１を配する凹部22が複数設けられ、この各凹部22の内周面と前記箱状基体１の外周面との間に隙間（約５ｍｍ程度）が設けられ、箱状基体１は凹部22内に水平方向（図３中の矢印ａ方向）及び上下方向（図３中の矢印ｂ方向）に揺動可能に設けられている。
【００４０】
また、凹部22の底面部には排水凹部23が設けられている。
【００４１】
この排水凹部23は、凹溝23ａとこの凹溝23ａの中央部に設けられる集水凹部23ｂとで構成されており、この排水凹部23により、道路21の路面から隙間を通過して流れる雨水や消雪水が排水処理される。
【００４２】
尚、前述した振動発電システムＳを設置する道路21は交通量の多いところが望ましいのは勿論あり、交通量調査を行った上で設置場所を検討選択する。
【００４３】
本実施例は上述のように構成したから、車両20が箱状基体１の上面部１’を通過すると、箱状基体１の天板部１Ａが振動し、天板部１Ａの下面部１”に設けた圧電素子２が発電作用を発揮する。
【００４４】
この本実施例に係る振動発電装置10は、天板部１Ａの上面部１’に凸部３が設けられており、この凸部３を車両20のタイヤ20ａが通過した際には振動が誘発されて天板部１Ａが良好に振動する。
【００４５】
また、この天板部１Ａは内部に空間を有する箱状基体１の一部であり、よって、この箱状基体１の空間内で反響して生じる振動によっても天板部１Ａは良好に振動する。
【００４６】
よって、本実施例によれば、圧電素子２を設けた天板部１Ａを良好に振動させる構造であるから、前述した従来例に比し、圧電素子２を良好に振動させてより多くの発電量が得られることになる。
【００４７】
また、本実施例は、凸部３は道路21の巾方向に所定長さを有する凸条であるから、より確実に道路21を通行する車両20のタイヤ20ａが踏むことによる振動を得られることになる。
【００４８】
また、本実施例は、箱状基体１は、車両20が通行する道路21に揺動可能に埋設されているから、より一層天板部１Ａを振動させることができる。
【００４９】
また、本実施例は、道路21には箱状基体１を配する凹部22が設けられ、この凹部22の内周面と箱状基体１の外周面との間に隙間が設けられ、確実に箱状基体１が凹部22内で揺動可能となる状態が得られることになる。
【００５０】
また、本実施例は、道路21の対向車線夫々に振動発電装置10を配設する構造であるから、効率良い発電、即ち、切れ目のない発電が可能となる。
【００５１】
また、本実施例は、凹部22の底面部には排水凹部23が設けられているから、例えば道路21から流入する雨水を排水処理して、常に箱状基体１が良好に揺動する状態が得られることになる。
【００５２】
尚、本発明は、本実施例に限られるものではなく、各構成要件の具体的構成は適宜設計し得るものである。
【符号の説明】
【００５３】
１  箱状基体
１’  上面部
１”  下面部
１Ａ  天板部
１Ｂ  側板部
１Ｃ  底板部
２  圧電素子
３  凸部
10  振動発電装置
20  車両
21  道路
22  凹部
23  排水凹部
【図１】
2014166049.tif 000003
【図２】
2014166049.tif 000004
【図３】
2014166049.tif 000005